(57)【要約】      （修正有）【課題】  異なる床板の高さに合わせて継手を収納する継手ボックスの高さを調整する際、調整作業を簡単に、かつ、短時間に行う。【解決手段】継手ボックス４を固定ホルダー３に連結した後、固定ホルダー３を支持サポート２に嵌挿し、躯体床面に配管されたさや管を支持サポート２を通して継手ボックス４に連結した後、躯体床面の取付位置に支持サポート２を固定する。その後、敷設する床板の高さに合わせて支持サポート２に対して固定ホルダー３を昇降させ、対応する高さ位置において、固定ビス８を長穴３１ａを通して支持サポート２にねじ込んで固定する。次いで、さや管内に挿通された流体管を支持サポート２および継手ボックス４を通して引き出して継手６に接続した後、流体管が接続された継手６を継手ボックス４の内部に挿入して支持する。そして、固定キャップ７を継手ボックス４に連結し、継手６の抜け出しを防止した後、立上管を継手６に接続する。【選択図】  図１
2006275264.tif 000002
【特許請求の範囲】
【請求項１】
躯体床面に固定された支持サポートと、支持サポートに対して昇降自在に嵌挿された固定ホルダーと、固定ホルダーに連結された継手ボックスと、継手ボックスに収納された継手と、継手ボックスに連結されて継手の抜け出しを防止する固定キャップと、から構成され、前記固定ホルダーの上下方向に沿って長穴が形成され、該固定ホルダーの長穴を通して固定ビスを支持サポートにねじ込んで、長穴の範囲内において支持サポートに対して固定ホルダーを固定することを特徴とする継手支持固定具。
【請求項２】
前記継手ボックスに、さや管と着脱自在な着脱部を有するカップリングがねじ結合されていることを特徴とする請求項１記載の継手支持固定具。
【発明の詳細な説明】
【技術分野】
【０００１】
この発明は、床下から洗面所やトイレなどへの配管工事に使用される継手支持固定具に関するものである。
【背景技術】
【０００２】
従来より、床下から洗面所やトイレなどへの配管工事には、躯体床面に支持ボルトを立設する一方、継手収納体の内部に継手を収納するとともに、継手収納体に固定リングをねじ止めして継手の抜け出しを防止した後、継手収納体を支持ボルトに対して固定するようにしている（例えば、特許文献１参照）。
【特許文献１】特許第２６０９９７２号公報
【発明の開示】
【発明が解決しようとする課題】
【０００３】
しかしながら、継手が固定リングを介して抜け出しを防止して収納された継手収納体を支持ボルトに固定するには、支持ボルトに対してナットを緩めて継手収納体の高さを床板の高さに合わせて調整した後、再びナットを締め込まなければならず、作業が煩雑となる。しかも、躯体床面から床板までの高さが大きくなると、支持ボルトの上端部に継手収納体を固定しなければならず、支持ボルトが不安定となる。このため、略Ｚ字状に折曲した固定バーを収納体と躯体床面との間に取り付けて支持ボルトの揺れを防止しなければならず、施工に多くの作業時間が必要になるという問題があった。
【０００４】
本発明は、このような問題点に鑑みてなされたもので、異なる床板の高さに合わせて継手を収納する継手ボックスの高さを調整する際、調整作業を簡単に、かつ、短時間に行うことのできる継手支持固定具を提供するものである。
【課題を解決するための手段】
【０００５】
本発明は、躯体床面に固定された支持サポートと、支持サポートに対して昇降自在に嵌挿された固定ホルダーと、固定ホルダーに連結された継手ボックスと、継手ボックスに収納された継手と、継手ボックスに連結されて継手の抜け出しを防止する固定キャップと、から構成され、前記固定ホルダーの上下方向に沿って長穴が形成され、該固定ホルダーの長穴を通して固定ビスを支持サポートにねじ込んで、長穴の範囲内において支持サポートに対して固定ホルダーを固定することを特徴とするものである。
【０００６】
本発明によれば、継手ボックスを固定ホルダーに連結した後、固定ホルダーを支持サポートに嵌挿し、その長穴を通して固定ビスを支持サポートにねじ込み、固定する。次いで、躯体床面に配管されたさや管を支持サポートを通して継手ボックスに連結した後、躯体床面の取付位置に支持サポートを固定する。その後、固定ビスを緩め、敷設する床板の高さに合わせて支持サポートに対して長穴に沿って固定ホルダーを昇降させ、対応する高さ位置において、固定ビスをねじ込んで固定する。次いで、さや管内に挿通された流体管を支持サポートおよび継手ボックスを通してその上方に引き出して継手に接続した後、流体管が接続された継手を継手ボックスの内部に挿入して支持する。そして、固定キャップを継手ボックスに連結し、継手の抜け出しを防止する。その後、立上管を継手に接続すればよい。
【０００７】
この結果、複数種類の床板の高さに合わせて継手ボックスの高さを調整する場合、固定ビスを緩めて固定ホルダーを昇降させ、調整した高さ位置において固定ビスをねじ込んで固定すればよいことから、調整作業を簡単に、かつ、短時間に行うことができる。
【０００８】
本発明において、前記継手ボックスに、さや管と着脱自在な着脱部を有するカップリングがねじ結合されていると、固定ホルダーを継手ボックスとカップリングとの間で挟み込むことができ、固定ホルダーに対して継手ボックスが緩むことを防止することができるとともに、さや管をカップリングを介して簡単に着脱自在に連結することができ、好ましい。
【発明の効果】
【０００９】
本発明によれば、異なる床板の高さに合わせて継手を収納する継手ボックスの高さを調整する際、調整作業を簡単に、かつ、短時間に行うことができる。
【発明を実施するための最良の形態】
【００１０】
以下、本発明の実施の形態を図面に基づいて説明する。
図１乃至図４には、本発明の継手支持固定具１の一実施例が示されている。
【００１１】
この継手支持固定具１は、支持サポート２と、支持サポート２に対して昇降自在に嵌挿された固定ホルダー３と、固定ホルダー３に連結された継手ボックス４と、継手ボックス４に連結されて固定ホルダー３を継手ボックス４との間で挟持するカップリング５と、継手ボックス４に収納された継手６と、継手ボックス４に連結されて継手６の抜け出しを防止する固定キャップ７と、から構成され、継手６を除いていずれもプラスチックによって形成されている。
【００１２】
支持サポート２は、詳細には図示しないが、躯体床面とコンクリート間仕切り壁とのコーナー部などにおいて、さや管の立ち上げ箇所の補強、曲げ固定および立ち上げ固定に使用され、外周面側が開放された断面略Ｕ字状の管状体を扇状に湾曲して形成されたサポート本体２１と、サポート本体２１に一体に延設された接地部２２とからなり、躯体床面に配置し、接地部２２を通して釘打ち固定することができる。
【００１３】
固定ホルダー３は、前面側が上端部を残して開放された管状の昇降部３１と、昇降部３１の上端に一体に延設され、該昇降部３１よりも小径の接続部３２とからなり、昇降部３１は、前述した支持サポート２のサポート本体２１の開放された外周面側を覆って上部に嵌合可能に形成されている。そして、固定ホルダー３の昇降部３１の中間部から下端部にかけて長穴３１ａが形成されている他、接続部３２の内周面には、雌ねじ３２１が形成されている。
【００１４】
継手ボックス４は、略中間部にフランジ４２を有する管状体４１であって、そのフランジ４２より上方の外周面には、固定キャップ７とねじ結合可能な雄ねじ４１１が形成されるとともに、下端部には前述した固定ホルダー３の雌ねじ３２１とねじ結合可能な雄ねじ４１２が形成されている。
【００１５】
カップリング５は、さや管（図示せず）との着脱部５１（図３参照）を有し、その内周面に、前述した継手ボックス４の雄ねじ４１２とねじ結合可能な雌ねじ５２が形成されている。
【００１６】
継手６は、一端に床上や壁表に設置される管器具との接続部６１を有するとともに、他端に、さや管に挿通された流体管（図示せず）の取付部６２を有し、接続部６１には、鍔部６３が形成されている。ここで、取付部６２としては、流体管を挿入するだけで自動的に取付部６２と接続することができる構造が採用されている。また、継手６の鍔部６３は、前述した継手ボックス４の上端開口に係止されるように、その径が設定されている。
【００１７】
固定キャップ７は、管状体７１の上端に内向きフランジ７２を一体に形成したもので、フランジ７２の内径は、継手６における接続部６１の鍔部６３の外径よりも小径に形成され、また、管状体７１の内周面には、継手ボックス４の雄ねじ４１１とねじ結合可能な雌ねじ７１１が形成されている。
【００１８】
次に、このように構成された継手支持固定具１を使用して床下から床上に配管する場合について説明する。
【００１９】
まず、継手ボックス４の雄ねじ４１２を固定ホルダー３の雌ねじ３２１にねじ込み、両者を連結固定した後、継手ボックス４の雄ねじ４１２にカップリング５の雌ねじ５２をねじ込み、固定ホルダー３を継手ボックス３との間で挟み込むようにして、継手ボックス４とカップリング５を連結固定する。次いで、継手ボックス４およびカップリング５を介して一体に連結された固定ホルダー３を支持サポート２の上部に嵌挿し、その長穴３１ａを通して固定ビス８を支持サポート２に向けてねじ込み、支持サポート２に対して固定ホルダー３を仮固定する。
【００２０】
この場合、支持サポート２のサポート本体２１に固定ビス８をねじ込むための雌ねじを予め形成しておくことが好ましい。
【００２１】
次いで、躯体床面にさや管を配管し、その一端部を支持サポート２と一体のカップリング５に差し込み、その着脱部５１に装着する。その後、躯体床面の取付位置に支持サポート２を配置し、その接地部２２を通してビスを打ち込み、固定した後、固定ビス８を緩め、敷設する床板の高さに合わせて、支持サポート２に対して長穴３１ａに沿って固定ホルダー３を昇降させ、対応する高さ位置において、固定ビス８をねじ込んで固定する。この際、固定ホルダー３に一体に連結された継手ホルダー４も昇降する。
【００２２】
次いで、さや管内に流体管を挿通し、支持サポート２と一体のカップリング５および継手ボックス４を通してその上方に引き出すとともに、引き出した流体管の一端を継手６の取付部６２に挿入し、流体管を継手６に接続する。その後、流体管が接続された継手６の取付部６２を継手ボックス４の上端開口を通してその内部に挿入し、その接続部６１に設けた鍔部６３を継手ボックス４の上端開口部の周縁に載置した後、固定キャップ７の雌ねじ７１１を継手ボックス４の雄ねじ４１１にねじ込んで固定し、継手ボックス４から継手６が抜け出すのを防止する。
【００２３】
次いで、図示しない立上管の雄ねじを継手６の接続部６１の雌ねじにねじ込んで接続し、作業を終了する。
【００２４】
この際、躯体床面の不陸により、継手６の角度にずれが発生した場合には、固定ビス８と固定ホルダー３に形成された長穴３１ａとの間に若干の隙間を形成することにより、その隙間の範囲内において、全周方向の微調整を行うことができる。
【００２５】
なお、前述した実施形態においては、継手ボックス４にカップリング５を連結し、カップリング５の着脱部５１を利用してさや管を接続する場合を例示したが、カップリング５を必ずしも用いる必要はなく、その場合は、継手ボックス４の下端部にさや管を連結すればよい。この場合、継手ボックスに対するさや管の取付手段としては、接着剤により接着してもよく、さや管の管壁に食い込ませる係止爪を継手ボックス４の管状体４１の下端側開口内に設けて、挿入されたさや管を抜け止め状体に係止するものであってもよい。
【産業上の利用可能性】
【００２６】
以上のように本発明によれば、複数種類の床板の高さに合わせて継手ボックスの高さを
調整する場合、調整作業を簡単に、かつ、短時間に行うことができ、コストを削減することが可能となる。
【図面の簡単な説明】
【００２７】
【図１】本発明の継手支持固定具の一実施例を示す斜視図である。
【図２】図１の継手支持固定具の側面図である。
【図３】図１の継手支持固定具の半断面図である。
【図４】図１の継手支持固定具の分解斜視図である。
【符号の説明】
【００２８】
１  継手支持固定具
２  支持サポート
３  固定ホルダー
４  継手ボックス
５  カップリング
６  継手
７  固定キャップ
８  固定ビス
【図１】
2006275264.tif 000003
【図２】
2006275264.tif 000004
【図３】
2006275264.tif 000005
【図４】
2006275264.tif 000006